(57)【要約】      （修正有）【課題】簡単な構造で、ＣＤ等の記憶媒体の記憶面全体に傷を付けて破棄することができ、このように傷を付けることによって、記憶媒体を破棄した後に記憶媒体に記憶されていたデータの読み取りを不可能にすることができる記憶媒体の破棄装置を提供する。【解決手段】装置本体１が円盤状に形成され、その下面に複数の突起２がランダムに突設され、装置本体１の中心部に円盤形状の記憶媒体３の中心穴３ａに挿入される円筒状突出部４が下向きに突設されて、この装置本体１の下面の突起２が円盤状の記憶媒体３の記憶面３ｂに当接された状態で、装置本体１が記憶媒体３に押し付けられて回動されることによって、円盤状の記憶媒体３の記憶面３ｂに複数のランダムな傷３ｃが付けられて、この記憶媒体３が破棄されるように構成した。【選択図】  図１
2004288318.tif 000002
【特許請求の範囲】
【請求項１】
円盤形状の記憶媒体の記録面に複数の傷を形成して、この記憶媒体が読み取られないようにして破棄するようにした記憶媒体の破棄装置において、装置本体が円盤状に形成され、その下面に複数の突起がランダムに突設され、装置本体の中心部に前記円盤形状の記憶媒体の中心穴に挿入される円筒状突出部が下向きに突設されて、この装置本体の下面の突起が前記円盤状の記憶媒体の記憶面に当接された状態で、装置本体が記憶媒体に押し付けられて回動されることによって、前記円盤状の記憶媒体の記憶面に複数のランダムな傷が付けられて、この記憶媒体が破棄されるように構成したことを特徴とする記憶媒体の破棄装置。
【請求項２】
記憶媒体の記憶面に複数の傷を形成して、この記憶媒体が読み取られないようにして破棄するようにした記憶媒体の破棄装置において、装置本体の下面に傷形成用の突起が突設されていて、この装置本体の下面の突起が前記記憶媒体の記憶面に当接された状態で、装置本体が回動されることによって、前記記憶媒体の記憶面に傷が付けられて、この記憶媒体が破棄されるように構成したことを特徴とする記憶媒体の破棄装置。
【請求項３】
前記装置本体の下面に、下側に長手方向に向けて複数条の突起が突設された長板材が取付られていて、装置本体を回動することによって、前記長板材の複数条の突起で前記記憶媒体の記憶面に複数の円形状の傷が形成されるようにしたことを特徴とする請求項２に記載の記憶媒体の破棄装置。
【請求項４】
前記記憶媒体を複数収容可能な有底円筒状の筐体と、この筐体の内部に上側から嵌め入れられて記憶媒体の動きを阻止する内部筒体と、前記長板材が取付られた装置本体と、この装置本体の上面に突出状態で設けられたハンドル部材とが備えられ、前記記憶媒体が前記有底筒体状の筐体に収納され記憶媒体が前記内部筒体で上側から押さえられて回動阻止された状態で、前記ハンドル部材が回されて、前記装置本体の下面に取付られた前記長板材の複数条の突起で、前記記憶媒体の記憶面に複数の円形状の傷が形成されるようにしたことを特徴とする請求項３に記載の記憶媒体の破棄装置。
【発明の詳細な説明】
【０００１】
【発明の属する技術分野】
本発明は、ＣＤ等の記憶媒体の記憶面に複数の傷を形成して、この記憶媒体が読み取られないようにして破棄するようにした記憶媒体の破棄装置に関する。
【０００２】
【従来の技術】
第１の従来技術を図３（ａ）（ｂ）（ｃ）、図４（ａ）（ｂ）に示す。受けローラ１０６と、表面に所望パターンの尖先状の突起１０８を形成した押圧ローラ１０７とを、互いに平行、且つ両ローラ１０６、１０７間の間隙が、両ローラ間に挿入しようとする光ディスクＤの厚さより小となるようにして、それぞれの軸回りに回転可能として支持し、両ローラ１０６、１０７間に光ディスクＤを送り込むことにより、光ディスクＤの片面に、押圧ローラ１０７の突起１０８による凹入傷Ｅを付けるようにしたものである。（例えば、特許文献１参照）。
ところが、これにおいては、ローラ１０５、１０６、１０７の本数が多く、そのローラ支持構造も必要とするために構造が複雑であるという問題があった。
【０００３】
【特許文献１】
実登録第３０４９９２３号公報
【０００４】
【発明が解決しようとする課題】
本発明は、簡単な構造で、ＣＤ等の記憶媒体の記憶面全体に傷を付けて破棄することができ、このように傷を付けることによって、記憶媒体を破棄した後に記憶媒体に記憶されていたデータの読み取りを不可能にすることができる記憶媒体の破棄装置を提供することを目的とする。
【０００５】
【課題を解決するための手段】
本発明は、上記課題を解決するために提案されたものであって、請求項１に記載の発明は、円盤形状の記憶媒体の記録面に複数の傷を形成して、この記憶媒体が読み取られないようにして破棄するようにした記憶媒体の破棄装置において、装置本体が円盤状に形成され、その下面に複数の突起がランダムに突設され、装置本体の中心部に前記円盤形状の記憶媒体の中心穴に挿入される円筒状突出部が下向きに突設されて、この装置本体の下面の突起が前記円盤状の記憶媒体の記憶面に当接された状態で、装置本体が記憶媒体に押し付けられて回動されることによって、前記円盤状の記憶媒体の記憶面に複数のランダムな傷が付けられて、この記憶媒体が破棄されるように構成したことを特徴としている。
【０００６】
請求項２に記載の発明は、記憶媒体の記憶面に複数の傷を形成して、この記憶媒体が読み取られないようにして破棄するようにした記憶媒体の破棄装置において、装置本体の下面に傷形成用の突起が突設されていて、この装置本体の下面の突起が前記記憶媒体の記憶面に当接された状態で、装置本体が回動されることによって、前記記憶媒体の記憶面に傷が付けられて、この記憶媒体が破棄されるように構成したことを特徴としている。
【０００７】
請求項３に記載の発明は、前記装置本体の下面に、下側に長手方向に向けて複数条の突起が突設された長板材が取付られていて、装置本体を回動することによって、前記長板材の複数条の突起で前記記憶媒体の記憶面に複数の円形状の傷が形成されるようにしたことを特徴としている。
【０００８】
請求項４に記載の発明は、前記記憶媒体を複数収容可能な有底円筒状の筐体と、この筐体の内部に上側から嵌め入れられて記憶媒体の動きを阻止する内部筒体と、前記長板材が取付られた装置本体と、この装置本体の上面に突出状態で設けられたハンドル部材とが備えられ、前記記憶媒体が前記有底筒体状の筐体に収納され記憶媒体が前記内部筒体で上側から押さえられて回動阻止された状態で、前記ハンドル部材が回されて、前記装置本体の下面に取付られた前記長板材の複数条の突起で、前記記憶媒体の記憶面に複数の円形状の傷が形成されるようにしたことを特徴としている。
【０００９】
【発明の実施の形態】
以下、本発明に係る記憶媒体の破棄装置の実施の形態について、図を参照しつつ説明する。
図１は本発明の第１実施形態の記憶媒体の破棄装置を示し、（ａ）はその破棄装置にＣＤ等の記憶媒体の記憶面を接触させる状態を示す斜視図、（ｂ）はその破棄装置の下面図、（ｃ）はその破棄装置によって記憶面に複数のランダムな傷が付けられた記憶媒体の平面図、（ｄ）は別形状の記憶媒体の破棄装置を示す斜視図である。
【００１０】
この第１実施形態の記憶媒体の破棄装置は、図１（ａ）（ｂ）に示すように、上部に六角柱状の掴み部１ａが設けられた装置本体１が円盤状に形成され、その下面に複数の突起２がランダムに突設され、装置本体１の中心部にＣＤ等の円盤形状の記憶媒体３の中心穴３ａに挿入される円筒状突出部４が下向きに突設されている。尚、複数の突起２は、その先端が鋭く形成されていることが好ましい。
【００１１】
そして、記憶媒体３の中心穴３ａに円筒状突出部４を挿入し、装置本体１の下面の突起２が円盤状の記憶媒体３の記憶面３ｂに当接した状態で、装置本体１を記憶媒体３に押し付けて回動することによって、図１（ｃ）に示すように、円盤状の記憶媒体３の記憶面３ｂに複数のランダムな円弧状の傷３ｃが付けられた状態で、この記憶媒体３を破棄するようにしている。
【００１２】
したがって、この第２実施形態によれば、簡単な構造で、ＣＤ等の記憶媒体３の記憶面３ｂ全体に傷３ｃを付けて破棄することができ、このように傷３ｃを付けることによって、記憶媒体３を破棄した後に記憶媒体３に記憶されていたデータの読み取りを不可能にすることができる。
更に、記憶媒体３の中心穴３ａに円筒状突出部４を挿入して、装置本体１を回動するので、記憶媒体３と装置本体１が擦れることなく記憶媒体３の記憶面３ｂに傷３ｃを付けられるので、この回動操作が行い易い利点がある。
また、図１（ｄ）に示すように、上部の六角柱状の掴み部を設けず、円盤状の装置本体１の外周に４箇所の掴み溝１ｃを設けてもい。
【００１３】
図２は第２実施形態の破棄装置を示し、（ａ）はその縦断面図、（ｂ）はその要部の斜視図、（ｃ）はその破棄装置によって記憶面に複数条の傷が付けられた記憶媒体の平面図である。
この第２実施形態の記憶媒体の破棄装置は、図２（ａ）に示すように、記憶媒体３を複数収容可能な有底円筒状の筐体５と、この筐体５の内部に上側から嵌め入れられて記憶媒体の動きを阻止し上板部６ａが設けられた内部筒体６と、図２（ｂ）に示すように、下側に長手方向に向けて複数条の突起７ａが突設され十文字状に配設された長板材７と、この長板材７が取付られた円柱形状の装置本体８と、この装置本体８の上面に突出状態で設けられた長板形状のハンドル部材９とが備えられている。更に、筐体５内には、その底部内に記憶媒体３を受けるための脚付き受け板１０が収納されている。尚、複数条の突起７ａはその先端が鋭く形成されていることが好ましい。
【００１４】
そして、図２（ａ）に示すように、複数枚の記憶媒体３を有底筒体状の筐体５に収納して、これらの記憶媒体３を内部筒体６で上側から押さえて回動阻止した状態で、ハンドル部材９を回すことによって、装置本体８の下面に取付られた長板材７の複数条の突起７ａで、図２（ｃ）に示すように、記憶媒体３の記憶面３ｂに複数の円形状の傷３ｄを形成して、これらの記憶媒体３を筐体５から一枚ずつ取り出して破棄するようにしている。
また、記憶媒体３を筐体５内に一枚ずつ収納して、その都度この記憶媒体３の記憶面３ｂに傷３ｄを形成するようにし、筐体５内に収納された複数枚の記憶媒体３を一緒に取り出して破棄してもよい。
【００１５】
したがって、この第２実施形態によれば、簡単な構造で、ＣＤ等の記憶媒体３の記憶面３ｂ全体に傷３ｄを付けて破棄することができ、このように傷３ｄを付けることによって、記憶媒体３を破棄した後に記憶媒体３に記憶されていたデータの読み取りを不可能にすることができる。
【００１６】
また、筐体５内に複数枚の記憶媒体３を収納できるので、記憶媒体３を複数枚破棄するときに、この作業が行い。
更に、筐体５内に一枚ずつ記憶媒体３を入れて傷３ｄをそれぞれ付けてから、筐体５内の複数枚の記憶媒体３を一緒に破棄することができるので、この作業が簡単である。
【００１７】
【発明の効果】
以上説明したように、請求項１に記載の発明は、円盤形状の記憶媒体の記録面に複数の傷を形成して、この記憶媒体が読み取られないようにして破棄するようにした記憶媒体の破棄装置において、装置本体が円盤状に形成され、その下面に複数の突起がランダムに突設され、装置本体の中心部に円盤形状の記憶媒体の中心穴に挿入される円筒状突出部が下向きに突設されて、この装置本体の下面の突起が円盤状の記憶媒体の記憶面に当接された状態で、装置本体が記憶媒体に押し付けられて回動されることによって、円盤状の記憶媒体の記憶面に複数のランダムな傷が付けられて、この記憶媒体が破棄されるように構成したので、以下に述べる効果を奏する。
【００１８】
即ち、簡単な構造で、ＣＤ等の記憶媒体の記憶面全体に傷を付けて破棄することができ、このように傷を付けることによって、記憶媒体を破棄した後に記憶媒体に記憶されていたデータの読み取りを不可能にすることができる。
また、記憶媒体の中心穴に円筒状突出部を挿入して、装置本体を回動するので、記憶媒体と装置本体が擦れることなく記憶媒体の記憶面に傷を付けられるので、この回動操作が行い易い。
【００１９】
請求項２に記載の発明は、記憶媒体の記憶面に複数の傷を形成して、この記憶媒体が読み取られないようにして破棄するようにした記憶媒体の破棄装置において、装置本体の下面に傷形成用の突起が突設されていて、この装置本体の下面の突起が記憶媒体の記憶面に当接された状態で、装置本体が回動されることによって、記憶媒体の記憶面に傷が付けられて、この記憶媒体が破棄されるように構成したので、以下に述べる効果を奏する。
即ち、簡単な構造で、ＣＤ等の記憶媒体の記憶面全体に傷を付けて破棄することができ、このように傷を付けることによって、記憶媒体を破棄した後に記憶媒体に記憶されていたデータの読み取りを不可能にすることができる。
【００２０】
請求項３に記載の発明は、装置本体の下面に、下側に長手方向に向けて複数条の突起が突設された長板材が取付られていて、装置本体を回動することによって、長板材の複数条の突起で記憶媒体の記憶面に複数の円形状の傷が形成されるようにしたので、装置本体を回動するだけで、この装置本体の下面に取り付けられた長板材の突起で記憶媒体に簡単に複数条の円形の傷を付けることができて、この作業を簡単に行なうことができ、構造も簡単化することができる。
【００２１】
請求項４に記載の発明は、記憶媒体を複数収容可能な有底円筒状の筐体と、この筐体の内部に上側から嵌め入れられて記憶媒体の動きを阻止する内部筒体と、長板材が取付られた装置本体と、この装置本体の上面に突出状態で設けられたハンドル部材とが備えられ、記憶媒体が有底筒体状の筐体に収納され記憶媒体が内部筒体で上側から押さえられて回動阻止された状態で、ハンドル部材が回されて、装置本体の下面に取付られた長板材の複数条の突起で、記憶媒体の記憶面に複数の円形状の傷が形成されるようにしたので、簡単な構造で、ＣＤ等の記憶媒体の記憶面全体に傷を付けて破棄することができ、このように傷を付けることによって、記憶媒体を破棄した後に記憶媒体に記憶されていたデータの読み取りを不可能にすることができる。
【００２２】
また、筐体内に複数枚の記憶媒体を収納できるので、記憶媒体を複数枚破棄するときに、この作業が行い。
更に、筐体内に一枚ずつ記憶媒体を入れて傷をそれぞれ付けてから、筐体内の複数枚の記憶媒体を一緒に破棄することができるので、この作業が簡単である。
【図面の簡単な説明】
【図１】第１実施形態の記憶媒体の破棄装置を示し、（ａ）はその破棄装置にＣＤ等の記憶媒体の記憶面を接触させる状態を示す斜視図、（ｂ）はその破棄装置の下面図、（ｃ）はその破棄装置によって記憶面に複数のランダムな傷が付けられた記憶媒体の平面図、（ｄ）は別形状の記憶媒体の破棄装置を示す斜視図である。
【図２】第２実施形態の破棄装置を示し、（ａ）はその縦断面図、（ｂ）はその要部の斜視図、（ｃ）はその破棄装置によって記憶面に複数条の傷が付けられた記憶媒体の平面図である。
【図３】従来の光ディスクの読み取り不能化装置を示し、（ａ）はその一部破断した斜視図、（ｂ）はその押圧ローラが光ディスクの読み取り面に凹入傷をつけている状態を示す拡大縦断面図、（ｃ）はその装置によって凹入傷が付された処理済みの光ディスクを示す平面図である。
【図４】（ａ）は同装置の押圧ローラの変形例の一部を示す正面図、（ｂ）は（ａ）の押圧ローラにより処理された光ディスクを示す平面図である。
【符号の説明】
１              装置本体
２              突起
３              記憶媒体
３ａ            中心穴
３ｂ            記憶面
３ｃ            ランダムな傷
３ｄ            円形状の傷
４              円筒状突出部
５              有底円筒状の筐体
６              内部筒体
７              長板材
７ａ            複数条の突起
８              円柱形状の装置本体
９              ハンドル部材
【図１】
2004288318.tif 000003
【図２】
2004288318.tif 000004
【図３】
2004288318.tif 000005
【図４】
2004288318.tif 000006